(57)【特許請求の範囲】
【請求項１】
端子収容室内に端子の挿入方向に沿って移動自在に収容された一方の端子と一方の端子とは反対方向から挿入された他方の端子とを電気的に接続するコネクタハウジングと、
前記コネクタハウジングに挿入された他方の端子と一方の端子のどちらか一方又は両方が他方の端子と離間する方向に沿って移動したとき他方の端子と一方の端子とが係合する係止手段と、
前記他方の端子と係合した一方の端子が端子収容室内を奥へと移動したとき端子の係合を解除する係止解除手段と、を備えたポジティブロックコネクタにおいて、
前記コネクタハウジングの壁面に取り付けられ、一方の端子及びその電線が挿入される開口部が設けられたリア部を有するホルダと、
該ホルダを、コネクタハウジングの壁面から少なくとも一方の端子が他方の端子と係合した位置から端子収容室内を奥へと移動して端子の係合を解除する位置までの長さ離間した位置にリア部が位置されるように一時位置決めする一時位置決め手段と、
を備えたことを特徴とするポジティブロックコネクタ。
【請求項２】
端子の挿入方向に沿って一方の端子を移動自在に収容する端子収容室が複数設けられ、端子収容室に収容された一方の端子と一方の端子とは反対方向から挿入された他方の端子とを電気的に接続し、これら端子のどちらか一方又は両方が他方の端子と離間する方向に移動したとき一方の端子と他方の端子とが係合して一方の端子と他方の端子とが連動し、この係合した一方の端子が端子収容室内を奥へと移動したときその係合が解除され、かつ、一方の端子及びその電線を挿入する開口部が設けられたリア部を有するホルダが取り付けられるコネクタハウジングの複数の端子収容室のうちの２以上に、ホルダの開口部を介した一方の端子をそれぞれ収容し、収容後、前記ホルダのリア部を、コネクタハウジングの壁面から少なくとも一方の端子が他方の端子と係合した位置から端子収容室内を奥へと移動して端子の係合を解除する位置までの長さ離間した位置に一時位置決めして、前記一方の端子の電線を束ねることを特徴とするポジティブロックコネクタ用の電線束ね方法。
【発明の詳細な説明】
【０００１】
【発明の属する技術分野】
本発明はワイヤハーネス等の接続に使用するポジティブロックコネクタ及びポジティブロックコネクタ用の電線束ね方法に関するものである。
【０００２】
【従来の技術】
自動車などの車両等に用いられ、電子機器とワイヤハーネス等を接続するコネクタとしては、多種多様のものがあり、その一つとしてポジティブロック機構を有するコネクタ（ポジティブロックコネクタ）が提案されている。
ポジティブロックコネクタは、例えば、図７及び図８に示すように、ワイヤハーネス等を構成する電線４０の端部に取り付けられた雌端子４１を端子収容室４２に収容したコネクタハウジング４３の雄端子挿入孔４４から雄端子４５を挿入して、雌雄の端子４１、４５を嵌合させるものである。
雄端子４５を固定した状態で、コネクタハウジング４３を雄端子４５の挿入方向前方に沿って移動させると、雌端子４１の係合片４６の先端部が雄端子４５の係合部４７と接触して雌端子４１の移動が阻止されコネクタハウジング４３のみが移動する。この移動は雌端子４１に関しては、雌端子４１が端子収容室４２内の奥へと移動することになる。さらに、雌端子４１が端子収容室４２内の奥に移動する（コネクタハウジング４３が移動する）と、解除片４８が係合片４６と接触して係合片４６を先端部が係合部４７から出るように変位させ、雄端子４５と雌端子４１との係合が解除される。
【０００３】
【発明が解決しようとする課題】
ところで、上述のポジティブロックコネクタは、ワイヤハーネス等の複数の電線を接続するのに用いられ、それら複数の電線はコネクタの近傍まで束ねられている。これは、例えば、自動車などの車両に用いられるワイヤハーネス等の電線を収納するスペースが狭く収納し難かったり、電線がバラバラになっていると、絡まったり、他の機器の間に挟まったりするため、できるだけ電線の露出度が少なくなるようにしている。このため、端子収容室４２の開口端部からの電線４０は、図７に示すように、端子収容室４２が形成されている壁面を沿うように配置される。雌端子４１を端子収容室４２の奥へと移動させると、端子収容室４２を形成する壁部の開口端部と電線４０が接触すると共に電線４０が束ねられているので、端子収容室４２内には電線がほとんど引き込まれず、雌端子４１が端子収容室４２の最奥部に移動できないことがある。雌端子４１の移動が十分に行われないと、コネクタハウジング４３を雄端子４５の挿入方向前方に沿って移動させても、解除片４８によって雌端子４１の係合片４６を変位できず、雌端子４１と雄端子４５との係合が解除できなくなってしまうことがある。
そこで、本発明は、このような実状に鑑みなされたものであり、その目的は、端子の係合を確実に解除することができるポジティブロックコネクタ及びポジティブロックコネクタ用の電線束ね方法を提供することにある。
【０００６】
また、本発明のポジティブロックコネクタは、端子収容室内に端子の挿入方向に沿って移動自在に収容された一方の端子と一方の端子とは反対方向から挿入された他方の端子とを電気的に接続するコネクタハウジングと、前記コネクタハウジングに挿入された他方の端子と一方の端子のどちらか一方又は両方が他方の端子と離間する方向に沿って移動したとき他方の端子と一方の端子とが係合する係止手段と、前記他方の端子と係合した一方の端子が端子収容室内を奥へと移動したとき端子の係合を解除する係止解除手段と、を備えたポジティブロックコネクタにおいて、前記コネクタハウジングの壁面に取り付けられ、一方の端子及びその電線が挿入される開口部が設けられたリア部を有するホルダと、該ホルダを、コネクタハウジングの壁面から少なくとも一方の端子が他方の端子と係合した位置から端子収容室内を奥へと移動して端子の係合を解除する位置までの長さ離間した位置にリア部が位置されるように一時位置決めする一時位置決め手段と、を備えたものである（請求項１）。
【０００７】
このように構成すれば、ホルダを一時位置決めした状態でホルダの開口部を介した電線を束ね、束ねた後、ホルダをホルダ取付部に取り付けることにより、ホルダの開口部の端部から電線を束ねた束ね端部までは、少なくとも一方の端子が他方の端子と係合した位置から端子収容室内を奥へと移動して端子の係合を解除する位置までの長さ離れているので、その長さの電線を端子収容室に引き込むことが可能となる。従って、一方の端子はその移動が妨げられることなく端子収容室内を奥へと移動するので、端子の係合は確実に係止解除手段によって解除されることになる。
【０００８】
また、本発明のポジティブロックコネクタ用の電線束ね方法は、端子の挿入方向に沿って一方の端子を移動自在に収容する端子収容室が複数設けられ、端子収容室に収容された一方の端子と一方の端子とは反対方向から挿入された他方の端子とを電気的に接続し、これら端子のどちらか一方又は両方が他方の端子と離間する方向に移動したとき一方の端子と他方の端子とが係合して一方の端子と他方の端子とが連動し、この係合した一方の端子が端子収容室内を奥へと移動したときその係合が解除され、かつ、一方の端子及びその電線を挿入する開口部が設けられたリア部を有するホルダが取り付けられるコネクタハウジングの複数の端子収容室のうちの２以上に、ホルダの開口部を介した一方の端子をそれぞれ収容し、収容後、前記ホルダのリア部を、コネクタハウジングの壁面から少なくとも一方の端子が他方の端子と係合した位置から端子収容室内を奥へと移動して端子の係合を解除する位置までの長さ離間した位置に一時位置決めして、前記一方の端子の電線を束ねるものである（請求項２）。
【０００９】
このように構成すれば、ホルダを一時位置決めした状態でホルダの開口部を介した電線を束ね、束ねた後、ホルダをホルダ取付部に取り付けることにより、ホルダの開口部の端部から電線を束ねた束ね端部までは、少なくとも一方の端子が他方の端子と係合した位置から端子収容室内を奥へと移動して端子の係合を解除する位置までの長さ離れているので、その長さの電線を端子収容室に引き込むことが可能となる。従って、一方の端子はその移動が妨げられることなく端子収容室内を奥へと移動するので、端子の係合は確実に解除されることになる。
【００１２】
【発明の実施の形態】
以下、本発明の実施の形態を添付図面に基づいて詳述する。
図１及び図２は本発明のポジティブロックコネクタの第１の例を示す図である。図１及び図２において、１はポジティブロックコネクタを示し、このポジティブロックコネクタ１は、相対向する２つの例えば雌雄端子２、３を嵌合接続するものである。なお、本発明の実施の形態では、一方の端子として雌端子を、他方の端子として雄端子を用いる場合について説明するが、一方の端子として雄端子を、他方の端子として雌端子を用いてよく、また、２つの端子の接続は、電気的に接続されていれば、嵌合されていなくてもよいことは言うまでもない。
【００１３】
雄端子３は、例えば電子機器等に接続されて、固定されているタブ状の端子であり、この雄端子３の前方には凹状又は穴状（図示例）等の係合部４が設けられている。
【００１４】
雌端子２は、例えばワイヤハーネス等を構成する絶縁被覆電線５の端部に加締め圧着して取り付けられたものである。雌端子は、ほぼ中央より先端部が断面矩形の筒状に形成された接触部６であり、この接触部６の底壁には、凹状又は穴状（図示例）の抜出防止部７が設けられている。接触部６内には、底壁の先端から接触部６内に向けて折り返して形成された、板ばねである弾性舌片８と、弾性舌片８と所定の間隔を隔てて対向配置され、内側に打ち出して形成された接触板部９とが設けられ、これら弾性舌片８と接触板部９との間に雄端子３の先端部が挿入されて、雌雄端子２、３が嵌合される。また、接触部６内には、雄端子の移動を阻止するストッパ１０が設けられている。
弾性舌片８には、接触部６内に雄端子３が挿入されているとき、先端部が雄端子３の係合部４内に位置されて、雌端子２の挿入方向後方側への移動により係合部４と係合する係合片１１が可撓自在に設けられている。この雌端子２の係合片１１と雄端子３の係合部４とにより係止手段１２が構成される。係合片１１は、弾性舌片８の一部を切り欠いて形成され、中央部に接触部６の先端から接触部６内に雌端子２の長手方向に沿って挿入された例えば棒状部材等により、先端部を係合部４外に移動するように係合片１１を変位させるための変位部１３が設けられている。
【００１５】
ポジティブロックコネクタ１のコネクタハウジング１４は、どのように形成してもよく、例えば断面凸状に合成樹脂等で形成され、３つの端部にそれぞれ端子収容室１５がその長手方向に沿って設けられている。コネクタハウジング１４の中央部には、その長手方向に沿って延在する空間部１６が設けられ、この空間部１６は例えばホルダの取付等に利用される。
端子収容室１５は、図示例では３つ設けられているが、その個数は特に限定されず、１つでも、２つでも、４つ以上でもよい。端子収容室１５は、前記雌端子２を雌端子２の挿入方向（長手方向）に沿って移動自在に収容するもので、雌端子２の断面形状より若干大きい例えば断面矩形状に形成されている。
【００１６】
コネクタハウジング１４内には、端子収容室１５内に収容された雌端子２と係合して雌端子２の抜出を防止する係合位置と、雌端子２と係合しない解除位置とに変位可能なランス１７が可撓自在に設けられている。ランス１７は、係合位置に付勢され、例えば端子収容室１５の開口部とは反対側から挿入される棒状の冶具等により解除位置に変位される。ランス１７は、雌端子２の先端部が端子収容室１５内の最奥部から挿入方向後方に所定の距離離間した係止位置で、雌端子２の抜出防止部７と係合して雌端子２の抜出を防止するように配置されており、雌端子２が端子収容室１５内を最奥部から係止位置まで移動可能に端子収容室１５内に収容される。
【００１７】
コネクタハウジング１４の端子収容室１５の開口部とは反対側には、雄端子３が挿入される雄端子挿入孔１８が設けられ、この雄端子挿入孔１８から挿入された雄端子３と雌端子２とが嵌合して雄雌端子３、２が電気的に接続される。
【００１８】
コネクタハウジング１４の端子収容室１５内の奥壁を形成する壁部には、雌端子２の挿入方向に沿って延在する端子係止解除手段１９である解除片２０が設けられている。解除片２０は、雌端子２が端子収容室１５の最奥部又はその近傍に移動してきたとき、その先端部が雌端子２の係合片１１の変位部１３と接触して係合片１１の先端部を雄端子３の係合部４の外側に変位させ、雌雄端子２、３の係合を解除するものである。
【００１９】
コネクタハウジング１４の側壁面であって、対向距離が一番長い対向する２つの側壁面の端子収容室開口部の近傍には、コネクタハウジング１４を引っ張るときに滑らないようにする滑り止め部２１がそれぞれ設けられている。
【００２０】
端子収容室１５を形成する壁部の開口端部には、切欠部２２が形成されている。切欠部２２は、具体的には、切欠部２２が形成されていないとき、前記雌雄端子２、３の係合を解除すべく雄端部３と係合した雌端子２が端子収容室１５内を奥へと移動するとき雌端子２の電線５が接触して電線５の移動を阻止する箇所の壁部に配置されている。例えば、図示例の場合、３つの端子収容室１５内に収容された雌端子２の電線５をコネクタハウジング１４の近傍でテープ等で束ねる場合であり、各電線５が接触する、空間部１６に隣接する壁部にそれぞれ切欠部２２が設けられている。切欠部２２の形状は、電線５が移動して（電線５が端子収容室１５内に引き込まれて）、雌雄端子２、３の係合の解除が行えるならば、どのような形状でもよく、例えば半円状、矩形状、多角形状、図示例のような逆台形状等に形成される。
【００２１】
次に作用について述べる。
例えばワイヤハーネス等を構成する電線５の端部に取り付けられた雌端子２をコネクタハウジング１４の端子収容室１５に収容する。この際、雌端子２の先端部が端子収容室１５の最奥部から係止位置の間に位置されるように雌端子２を収容する。
このコネクタハウジング１４を、例えば固定されている雄端子３の近傍に持っていき、雄端子３が雄端子挿入孔１８から挿入されるように装着する。これにより、雄端子３の先端部が図１に示すように雄端子挿入孔１８から挿入されて雌端子２と嵌合して、雌雄端子２、３が電気的に接続される。このとき、雌端子２の係合片１１の先端部が、雄端子３の係合部４内に位置されており、雌端子２と雄端子３は係合状態にある。
【００２２】
雄端子３を固定した状態で、コネクタハウジング１４を雄端子３の挿入方向前方に沿って移動させると、係合片１１の先端部が係合部４と接触して雌雄端子２、３が係合し雌端子２の移動が阻止され、コネクタハウジング１４のみが移動する。この移動は雌端子２に関しては、雌端子２が端子収容室１５内の奥へと移動することになる。さらに、雌端子２が端子収容室１５内の奥に移動する（コネクタハウジング１４が移動する）と、解除片２０が係合片１１の変位部１３と接触して係合片１１を先端部が係合部４から出るように変位させ、雄端子３と雌端子２との係合が解除される。
【００２３】
このとき、雌端子２の電線５が、例えばワイヤハーネス等の複数の電線５の１本で、その電線５がポジティブロックコネクタ１の近傍まで例えばテープによって束ねられていたり、３つの端子収容室１５に収容された電線をポジティブロックコネクタ１の近傍まで例えばテープによって束ねられていたりして、図１に示すように、端子収容室１５が形成されている収容室壁面を沿うように配置され、電線がこれ以上端子収容室１５内に引き込まれないような場合でも、端子収容室１５を形成する壁部の開口端部に切欠部２２が形成されているので、雌雄端子２、３の係合の解除を確実に行える。
【００２４】
すなわち、例えば、電線５が、図７に示すように、収容室壁面を沿い、その壁面の近傍（壁面から離れてすぐの箇所）で固定されていると、雌端子を端子収容室の奥へと移動させる場合、電線が壁部の開口端部と接触して雌端子の移動ができなくなることがある。これに対して、図１に示すように、切欠部２２があると、雌端子２の移動につれて、電線５が切欠部２２内に入る。つまり、電線５は、図示のほぼ直角に曲がった状態から斜めになり、雌端子２はその移動が阻止されることなく、端子収容室１５の奥へと動く。
【００２５】
したがって、雄端子３を固定した状態でコネクタハウジング１４を雄端子３の挿入方向前方に沿って移動させた場合、雌端子２の移動と共に電線５が切欠部２２内に移動するので、雌雄端子２、３の係合を確実に解除することが可能となる。
【００２６】
図３は本発明のポジティブロックコネクタの第２の例を示す図である。このポジティブロックコネクタ２３と上述の第１のポジティブロックコネクタ１と異なるところは、切欠部２２の代わりに、ホルダ２４を用いた点である。上述のポジティブロックコネクタと同一部分には同一の符号を付し、その説明を省略する。
【００２７】
具体的には、コネクタハウジング２５の内部構造は、上述のコネクタハウジング１４とほぼ同じである。コネクタハウジング２５の端子収容室２６に挟まれた中央部の空間が図３及び図４に示すようにホルダ取付部２７として形成されている。ホルダ取付部２７を形成する壁部の一面には、ホルダ取付部２７の中央部に向かって凸状に突出し、開口端部側がテーパ状に形成された第１突出部２８が設けられている。また、第１突出部２８が設けられている壁部と対向する壁部であって、その第１突出部２８より装着方向前方に所定の距離離間した位置には、ホルダ取付部２７の中央部に向かって凸状に突出し、開口端部側及びその反対側の両方がテーパ状に形成された第２突出部２９が設けられている。
【００２８】
ホルダ２４は、図３に示すように、コネクタハウジング２５の端子収容室２６の開口部が形成されている壁面（収容室開口壁面）３０に、その壁面３０を囲繞するように取り付けられる。ホルダ２４は、弾性変形可能な材料例えば合成樹脂等で形成され、リア部３１と挿入部３２とからなる。
【００２９】
リア部３１は、収容室開口壁面３０とほぼ同一形状図示例では凸状に形成され、端子収容室２６の開口部と対応する位置に雌端子２及びその電線５が挿入される開口部３３、３３、３３がそれぞれ設けられている。開口部３３の形状は、特に限定されないが、端子収容室２６の開口形状とほぼ同一形状であることが好ましい。
【００３０】
挿入部３２は、コネクタハウジング２５のホルダ取付部２７に挿入されるもので、リア部３１の中央部にリア部３１からほぼ直角方向に延在し、例えば断面矩形状に形成されている。ホルダ取付部２７に挿入したときの前記第１突出部と対向する挿入部３２の側面には、外方に向かって凸状に突出し、先方側がテーパ状に形成された第１突部３４が設けられている。また、第１突部３４とは反対側の挿入部３２の側面であって、第１突部３４よりリア部３１方向に所定の距離離間した位置には、外方に向かって凸状に突出し、前方後方の両方がテーパ状に形成された第２突部３５が設けられている。第１及び第２突部３４、３５は、ホルダ２４をホルダ取付部２７内に挿入したとき、まず第１突部３４と第１突出部２８とが係合し、そこで一旦止まり、その挿入力を強めると図４（ａ）に示すように第１突部３４及び／又第１突出部２８は弾性変形して第１突部３４が第１突出部２８を乗り越えると共に第２突部３５が第２突出部２９と係合し、ホルダ２４が一時位置決めされる。このとき、リア部３１が、雌端子２の先端部が係止位置から最奥部方向に沿って移動して雌雄端子２、３の係合を解除する位置までの長さ以上の長さ、コネクタハウジング２５の壁面３０から離間した位置に配置される。さらに挿入すると図４（ｂ）に示すように第２突部３５が第２突出部２９を乗り越え、ホルダ２４がコネクタハウジング２５に取り付けられるように形成される。このとき、ホルダ２４の装着方向後方への移動は、第２突部３５と第２突出部２９との係合によりホルダ２４が簡単にはホルダ取付部２７から抜けることがないようになっている。これら第１、第２突部３４、３５及び第１、第２突出部２８、２９により一時位置決め手段３６が構成される。
【００３１】
このように構成しても、雌雄端子２、３の係合を確実に解除することが可能となる。すなわち、ホルダ２４の開口部３３を介した雌端子２を端子収容室２６内に収容した後、ホルダ２４を、図４（ａ）に示すように、一時位置決めする。この一時位置決め状態で、電線５を束ね、束ねた後、ホルダ２４を図４（ｂ）に示すように取付位置に移動させてホルダ２４を取り付ける。
【００３２】
このように、電線５を束ねた束ね端部が一時位置決めされたホルダ２４の近傍にあっても、ホルダ２４は取付位置に移動するので、ホルダ２４の開口端部から電線５の束ね端部までは、雌端子２の先端部を係止位置から雌雄端子２、３の係合を解除する位置まで移動できる長さを少なくとも有している。すなわち、ホルダ２４の開口端部から束ね端部までの電線５は、自由に動き、その自由に動く範囲が雌端子２を移動して雌雄端子２、３の解除を行える以上である。
このため、雌端子２を端子収容室２６の奥に移動させたとき、端子収容室２６に雌端子２の電線５が引き込まれるので、雌端子２の移動を妨げるものがなく、雌雄端子２、３の係合が確実に解除片２０によって解除されることになる。
【００３３】
したがって、雄端子３を固定した状態でコネクタハウジング２５を雄端子３の挿入方向前方に沿って移動させた場合、雌端子２の移動と共に電線５が端子収容室２６内に引き込まれるので、雌雄端子２、３の係合を確実に解除することが可能となる。
【００３４】
また、ホルダ２４の一時位置決めは、第１突部３４が第１突出部２８を乗り越えると共に第２突部３５が第２突出部２９と係合した状態であるので、ホルダ２４は前方側へは第２突部３５と第２突出部２９との係合により、後方側へは第１突部２８と第１突出部３４との係合により大きな力を加えない限り係止される。このため、ホルダ２４を一時位置決めした状態で電線５を束ねる際にはホルダ２４の位置ずれはし難いので、ホルダ２４の取付時には、より確実に端子収容室２６に引き込まれる電線５を確保することができる。
【００３５】
図５及び図６は本発明のポジティブロックコネクタ用の電線束ね方法の一例を示す図である。図５及び図６において、３７はポジティブロックコネクタを示し、このポジティブロックコネクタ３７は、上述のポジティブロックコネクタ１、２３と異なるところは、電線５を束ねる際にのみコネクタハウジング２５の端子収容室２６の開口部が形成されている壁面（収容室開口壁面）３０にスペーサ３８を取り付ける点である。上述のポジティブロックコネクタ１、２３と同一部分には同一の符号を付し、その説明を省略する。
【００３６】
コネクタハウジング２５の内部構造は、上述のコネクタハウジング１４とほぼ同じである。コネクタハウジング２５の収容室開口壁面３０には、着脱自在にスペーサ３８が取り付けられ、このスペーサ３８は電線５を束ねる際にのみ取り付けるようにする。スペーサ３８は、端子収容室２６に雌端子２が収容されている状態で着脱ができるならばどのように形成してもよい。スペーサ３８の電線５の長手方向の長さは、雌端子２の先端部が係止位置から最奥部方向に沿って移動して雌雄端子２、３の係合を解除する位置までの長さ以上の長さに形成される。
【００３７】
さて、電線５の束ねを前記スペーサ３８を取り付けた状態で行うようにしても、雌雄端子２、３の係合を確実に解除することが可能となる。
すなわち、スペーサ３８を収容室開口壁面３０に取り付けた状態で、端子収容室２６内に収容した雌端子２の電線５を例えばテープ３９を巻きつけて束ね、束ねた後、スペーサ３８を取り外す。
束ね端部がスペーサ３８の近傍にあっても、スペーサ３８が取り外されるので、端子収容室２６の開口端部から電線５の束ね端部までは、雌端子２の先端部を係止位置から端子の係合を解除する位置まで移動できる長さを少なくとも有している。すなわち、コネクタハウジング２５の開口端部から束ね端部までの電線５は、自由に動き、その自由に動く範囲が雌端子２を移動して端子２、３の解除を行える以上である。
このため、雌端子２を端子収容室２６の奥に移動させたとき、端子収容室２６に雌端子２の電線５が引き込まれるので、雌端子２の移動を妨げるものがなく、雌雄端子２、３の係合が確実に解除片２０によって解除されることになる。
【００３８】
したがって、雄端子３を固定した状態でコネクタハウジング２５を雄端子３の挿入方向前方に沿って移動させた場合、雌端子２の移動と共に電線５が端子収容室２６内に引き込まれるので、雌雄端子２、３の係合を確実に解除することが可能となる。
【００４０】
【発明の効果】
以上要するに請求項１に記載の発明によれば、ホルダとそのホルダを一時位置決めする一時位置決め手段とを備えたので、ホルダを一時位置決めした状態で電線を束ね、束ねた後、ホルダを取り付ければ、一方の端子をその移動が妨げられることなく端子収容室の奥へと移動でき、端子の係合を確実に解除することができる。
【００４１】
請求項２に記載の発明によれば、ホルダを一時位置決めした状態で電線を束ねることにより、一方の端子はその移動が妨げられることなく端子収容室内を奥へと移動するので、端子の係合を確実に解除することができる。
【図面の簡単な説明】
【図１】本発明のポジティブロックコネクタの第１の例を示す一部断面図である。
【図２】本発明のコネクタハウジングの第１の例を示す斜視図である。
【図３】本発明のポジティブロックコネクタの第２の例を示す概略斜視図である。
【図４】本発明のホルダの係合状態を示す一部断面図で、その（ａ）はホルダを一時位置決めした状態を示す図、（ｂ）はホルダを取り付けた状態を示す図である。
【図５】本発明のポジティブロックコネクタ用の電線束ね方法の一例を説明するための図である。
【図６】本発明のポジティブロックコネクタ用の電線束ね方法の一例を説明するための図である。
【図７】先に提案されているポジティブロックコネクタを示す一部断面図である。
【図８】先に提案されているコネクタハウジングを示す斜視図である。
【符号の説明】
１    ポジティブロックコネクタ
２    雌端子（一方の端子）
３    雄端子（他方の端子）
５    電線
１２  係止手段
１４  コネクタハウジング
１５  端子収容室
１９  端子係止解除手段
２２  切欠部
２３  ポジティブロックコネクタ
２４  ホルダ
２５  コネクタハウジング
２６  端子収容室
３１  リア部
３３  開口部
３６  一時位置決め手段
３８  スペーサ
【図１】
0003893032.tif 000002
【図２】
0003893032.tif 000003
【図３】
0003893032.tif 000004
【図４】
0003893032.tif 000005
【図５】
0003893032.tif 000006
【図６】
0003893032.tif 000007
【図７】
0003893032.tif 000008
【図８】
0003893032.tif 000009